(57)【要約】【課題】  きれいな開口縁の貫通孔を穿孔することができる木工用ドリルを実現する。【解決手段】  本発明に係る木工用ドリルは、螺旋状のドリル本体１の先端にドリル本体１を先方に誘導する先ネジ２を備えるとともに、外周位置から中心に向けて掬い刃を備える。  先ネジ２は、ネジ部2a上端よりも上方に掬い刃３を位置させるとともに、螺旋状のドリル本体１の先端部外表面に１または複数の周方向の溝４を形成する。周方向の溝４は、先ネジ２の螺旋方向と同じ方向の傾斜であって、先ネジのピッチ寸法よりも小さなピッチ寸法の傾斜、もしくはドリル本体の中心軸と直交する水平方向、あるいは先ネジ２の螺旋方向と逆方向の傾斜とする。これにより、貫通孔を穿孔する際の最終段階において、遅い速度で被加工物の木質繊維を完全に切断し、開口縁の欠損などを無くすることができる。【選択図】  図２
2006192820.tif 000002
【特許請求の範囲】
【請求項１】
螺旋状のドリル本体の先端に、ドリル本体を先方に誘導する先ネジを備えるとともに、
外周位置から中心に向けて掬い刃を備えた木工用ドリルにおいて、
先ネジのネジ部上端よりも上方に掬い刃を位置させるとともに、螺旋状のドリル本体の先端部外表面に１または複数の周方向の溝を形成し、該周方向の溝は、先ネジの螺旋方向と同じ方向の傾斜であって、先ネジのピッチ寸法よりも小さなピッチ寸法の傾斜であることを特徴とする木工用ドリル。
【請求項２】
螺旋状のドリル本体の先端に、ドリル本体を先方に誘導する先ネジを備えるとともに、
外周位置から中心に向けて掬い刃を備えた木工用ドリルにおいて、
先ネジのネジ部上端よりも上方に掬い刃を位置させるとともに、螺旋状のドリル本体の先端部外表面に１または複数の周方向の溝を形成し、該周方向の溝は、ドリル本体の中心軸と直交する水平方向もしくは先ネジの螺旋方向と逆方向の傾斜であることを特徴とする木工用ドリル。
【請求項３】
ドリル本体の外周面先端に面取りを施し、掬い刃の切っ先を外周よりも内方に位置させたことを特徴とする請求項１又は２記載の木工用ドリル。
【発明の詳細な説明】
【技術分野】
【０００１】
この発明は、螺旋状のドリル本体の先端に掬い刃を形成するとともに、ドリル本体の先端中心に、ドリル本体を先方に誘導する先ネジを突出させた木工用ドリルに関する発明である。
【背景技術】
【０００２】
木工用ドリルは、通常電動ドリルなどの回転駆動装置に装着して穿孔作業に利用する。この際、先ネジによって穿孔の位置決めを行なうとともに、ドリル本体を強制的に先方へ誘導することによって、掬い刃による穿孔を迅速に行なうことができるようにしている。この際、被加工物である木質材料では、一定方向の繊維が存在するため、ドリル本体の外周先端に突出させた、ナイフ状の罫書き刃によって円形に罫書いて繊維を切断し、その内方を掬い刃によって切除することで正確な円形孔を穿孔している。
【０００３】
回転駆動装置に木工用ドリルを装着して穿孔作業を行なう場合、先ネジによる引き込み力が過大となり、一定の深さの孔を穿孔することが困難な場合がある。このような場合を想定して、特許文献１には、先ネジのネジを低い山の帯状に形成することによって引き込み力を弱くする木工用ドリルの思想が開示されている。また、木工用ドリルには、特許文献２に開示されるように、ドリル本体先端の外周面に面取りを施し、切っ先を外周よりも内方に位置させることによって、穿孔の内周部分を傾斜方向の鉋状切削刃で切削することによって木材の繊維を切断し、罫書き刃を省略する木工用ドリルの技術思想も提案されている。
【特許文献１】特開２００２−２１０７０８号公報
【特許文献２】特開２００４−１３０７６０号公報
【発明の開示】
【発明が解決しようとする課題】
【０００４】
従来の木工用ドリルでは、先ネジによって引き込まれ、穿孔の最終段階においても勢い良く貫通する傾向がある。すなわち、図７(ａ)に示すようにドリル本体Ａは、先ネジＢによって誘導され、罫書き刃Ｃによって罫書かれながら掬い刃Ｄによって被加工物Ｅの穿孔が能率的に進行する。木工用ドリルによる穿孔が進行し、穿孔の開口端に近づくと、図７(ｂ)に示すように、罫書き刃Ｃの先端と被加工物Ｅの表面との厚みが薄くなる。その状態で、なおも勢い良くドリル本体Ａによる穿孔が進行すると、開口端部分に木材の繊維方向に沿ってヒビ割れを生じ、図７(ｃ)に示すように小片Ｆが剥離するなどし、貫通孔の開口縁がきれいな状態で穿孔できない傾向がある。
【０００５】
特許文献２に開示されるように、掬い刃の先端外周縁に面取りを施し、罫書き刃を省略したものでは、罫書き刃を備えたものに比較して、貫通孔の内周面は比較的きれいな状態に穿孔することができるものであるが、穿孔の最終段階において勢い良くドリル本体が進行すると、開口縁に小さな欠損や木質繊維が完全に切断されないササクレ状態を生じ、必ずしもきれいな開口縁の貫通孔を穿孔することができるものではなかった。
上記、従来技術の欠点に鑑み、本発明はよりきれいな貫通孔を開けることができる木工用ドリルを工夫したものである。
【課題を解決するための手段】
【０００６】
木工用ドリルにおい、開口端に欠損などを生じ、きれいな貫通孔を穿孔することができない理由として、ドリル本体１が勢い良く貫通し、開口縁部分の繊維の切断作業が充分に行なわれないことに起因することに着目し、穿孔の最終段階において、ドリル本体１の進行速度を緩めることによって開口部分の木質繊維の切断を完全に行なえるようにした。
【０００７】
具体的には、螺旋状のドリル本体１の先端に、ドリル本体１を先方に誘導する先ネジ２を備えるとともに、外周位置から中心に向けて掬い刃３を備えた木工用ドリルにおいて、先ネジ２のネジ部2a上端よりも上方に掬い刃３を位置させる。そして、螺旋状のドリル本体１の先端部外表面に１または複数の周方向の溝４を形成する。周方向の溝４は、先ネジ２の螺旋方向と同じ方向の傾斜であって、先ネジ２のピッチ寸法Ｐよりも小さなピッチ寸法P’の傾斜とする。あるいは、周方向の溝４を、ドリル本体１の中心軸と直交する水平方向もしくは先ネジ２の螺旋方向と逆方向の傾斜とする。
【０００８】
本発明は、ドリル本体１の外周面先端に面取り５を施し、掬い刃３の切っ先６を外周よりも内方に位置させた木工用ドリルに応用すると、より効果的である。
【発明の効果】
【０００９】
請求項１記載の本発明木工用ドリルによれば、先ネジ２の誘導によって迅速に穿孔が進行する。先ネジ２のネジ部2aが被加工物７を貫通した段階で、ドリル本体１の先方への引き込み力がなくなる。このとき、被加工物７には未切削の部分が僅かに残っており、この部分は先ネジ２による誘導がない遅い速度、換言すれば、木質の繊維を充分に切断することができる遅い速度で切削することができるためきれいな開口縁の貫通孔を穿孔することができる。すなわち、ドリル本体１の外周面に形成した緩い傾斜角度の溝４の作用によって、速い速度で進行してきた穿孔速度が減速され、ゆっくりと先方に誘導される。
【００１０】
請求項２記載の発明によれば、被加工物７の切削の最終段階において、ドリル本体１の先方への誘導を完全に解消し、あるいは逆に押し戻す小さな力を発生させ、作業者の操作によって、より遅い速度で最終的な貫通孔の切削を行なうことができる。これにより、よりきれいな状態に開口縁を切削することができる。
【００１１】
請求項３記載の発明によれば、先ネジ２の作用によって迅速に穿孔が進行し、穿孔の最終段階においてのみ切削速度が遅くなり、罫書き刃ではない短い鉋状の掬い刃によって、よりきれいな開口縁の貫通孔を加工することができる。
【発明を実施するための最良の形態】
【００１２】
以下、本発明に係る木工用ドリルの好ましい実施形態を、添付の図面に基づいて説明する。
図１は、本発明の実施形態を示す木工用ドリル全体の正面図、図２は図１の先端部分のみの拡大図、図３は底面図、図４は穿孔の経過を示す断面図である。
【００１３】
図１に示す木工用ドリルは、螺旋状のドリル本体１の先端中心位置に、木ネジ状の先ネジ２を形成するとともに、螺旋の先端には外周位置から中心に向けて掬い刃３を形成している。ドリル本体１の先端外周縁部分には、面取り５を施して切っ先６を外周よりも内方に位置させ、穿孔の内周部分を面取り５の先端である短い傾斜掬い刃3aによって切削することで罫書き刃を省略している。
【００１４】
ドリル本体１の先端中心位置に配置される先ネジ２は、図２に示すようにピッチＰで形成されるネジ部2aの基端部分に非ネジ部2bを形成している。すなわち、掬い刃３の切っ先６とネジ部2aの間に寸法L’の非ネジ部2bを形成している。掬い刃３は、図３に示すように螺旋の先端において外周位置から中心方向に向けて、回転の前縁に湾曲形状に形成するとともに、前縁から後方に向けて掬い角をとる関係上、図２に示すように立面図では上方に向けて湾曲する。また、ドリル本体１の外周面先端に面取り５を施すことによって、切っ先６が外周よりも内方位置において回転方向の前方に突出する。
【００１５】
ドリル本体１の外周面には、先ネジ２の螺旋と同じ方向の傾斜であって、先ネジ２のピッチ寸法Ｐよりも小さなピッチ寸法P’に相当する傾斜の溝４，４を刻設している。溝４は全周に連続する螺旋である必要はないが、螺旋と仮定した場合のピッチP’が先ネジ２のピッチ寸法よりも小さな傾斜を意味する。すなわち、溝４の傾斜角度αを周回させた場合のピッチP’が、先ネジ２のピッチＰよりも小さくなる傾斜角度としている。なお、溝４は先ネジ２の螺旋のように被加工物７に食い込むことはないので、被加工物７を大きな力で先方へ引き込むようなものではなく、穿孔した孔の内表面との接触によって小さな力での誘導程度に機能する。
【００１６】
上記、形態の木工用ドリルによって穿孔作業を行なうと、図４の(ａ)に示すようにドリル本体１の回転にともなって先ネジ２の螺旋によってドリル本体１が被加工物７に引き込まれ、掬い刃３による穿孔が迅速に進行する。
【００１７】
穿孔が進行し、最終段階に差し掛かると、前方に突出する先ネジ２が被加工物７の裏側から突出する。図４の(ｂ)に示すように、先ネジ２のネジ部2aが被加工物７の裏側に貫通すると、先ネジ２によってドリル本体１を前方に引き込む力が無くなる。そしてドリル本体１は、外表面に形成した溝４と、被加工物に穿孔した孔の内表面との接触によって小さな力で先方に誘導され、図４(ａ)における穿孔速度よりも遅い穿孔速度で貫通孔の最終段階を穿孔し、図４の(ｃ)に示す状態で貫通孔の穿孔が完了する。
【００１８】
すなわち、先ネジ２の作用によって適度な速い速度で穿孔が進行し、貫通孔の穿孔の最終段階においてのみ減速され、減速された状態で開口縁部分の木質繊維の切断をより完全に行ない、開口縁の加工をきれいな状態で完了させる。このとき、図示例のようにドリル本体の外周面先端に面取り５を施し、傾斜掬い刃によって穿孔するものであると、貫通直前の被加工物に貫通方向の大きな力らが作用せず、より効果的である。
【００１９】
ドリル本体１の外周面に刻設する溝４は、図示実施形態においては２条であるが、１条あるいは３条以上とすることもできる。また、溝４の傾斜方向は、図２に示す実施形態においては先ネジ２と同じ方向の傾斜角度αであるが、図５に示すように円周方向(水平方向)や、図６に示すように先ネジ２と逆方向の傾斜角度βの傾斜とすることもできる。
【００２０】
溝４は、先ネジのように被加工物に食い込んでドリル本体を強制的に進行させるものではなく、小さな力の誘導効果を発揮する程度である。しかしながら、溝４が全く存在しない場合は、先ネジ２が貫通したときの速度のまま穿孔が進行し、開口縁の切削が充分でなくなる。これに対し、少なくとも穿孔の進行速度を緩める効果を発揮する溝４を形成することによって穿孔速度を減速させるとともに、作業者の注意を喚起して慎重な穿孔作業を行なわせる効果がある。したがって、図５や図６に示す実施形態ではより大きな減速効果が得られることとなる。
【００２１】
図示実施形態においては、ドリル本体１の外周面先端に面取りを施し、罫書き刃を省略した木工用ドリルに本発明を応用した実施形態を示しているが、本発明は罫書き刃を備えた木工用ドリルに応用することもできる。この場合、罫書き刃が掬い刃よりも大きく突出するものではなく、突出量の小さな罫書き刃を備えたものとし、先ネジ２のネジ部2a上端より上方の位置に、罫書き刃の先端が位置するものとする。
【図面の簡単な説明】
【００２２】
【図１】図１は、本発明の実施形態を示す木工用ドリル全体の正面図、
【図２】図２は、図１の木工用ドリルの先端部分のみの拡大図、
【図３】図３は、図１の木工用ドリルの拡大底面図、
【図４】図４は、穿孔の経過を示す断面図、
【図５】図５は、ドリル本体の外周面に刻設する溝の変形例を示す部分拡大図、
【図６】図６は、ドリル本体の外周面に刻設する溝の別の変形例を示す部分拡大図、
【図７】図７は、従来の木工用ドリルによる穿孔の経過を示す断面図。
【符号の説明】
【００２３】
１…ドリル本体、  ２…先ネジ、  2a…ネジ部、  2b…非ネジ部、  ３…掬い刃、  3a…傾斜掬い刃、  ４…溝、  ５…面取り、  ６…切っ先、  ７…被加工物。
【図１】
2006192820.tif 000003
【図２】
2006192820.tif 000004
【図３】
2006192820.tif 000005
【図４】
2006192820.tif 000006
【図５】
2006192820.tif 000007
【図６】
2006192820.tif 000008
【図７】
2006192820.tif 000009